(57)【要約】【課題】屋外のショッピングカート収納において屋外暴露に耐える長寿命化を図るようにしたショッピングカートを提供する。【解決手段】一対の支柱間に配置される平板状の本体部２５の上縁に、一対の支柱に架け渡された支軸が挿通する筒状部２６を設けたストッパ２４と、長さが前記ストッパ２４の筒状部２６の長さとほぼ同じとされ、縦断面がＣ字形をなした樋形状に形成され、対峙している両側縁３１，３１の間隔が前記筒状部２６の直径よりも狭く、かつ、筒状部２６の直径以上に離間させられる弾性を有するカバー３０とが備えられ、該カバー３０が前記ストッパ２４の筒状部２６を外嵌している。【選択図】図１
2009143261.tif 000002
【特許請求の範囲】
【請求項１】
一対の支柱間に配置される平板状の本体部の上縁に、一対の支柱に架け渡された支軸が挿通する筒状部を設けたストッパと、
長さが前記ストッパの筒状部の長さとほぼ同じとされ、縦断面がＣ字形をなした樋形状に形成され、対峙している両側縁の間隔が前記筒状部の直径よりも狭く、かつ、筒状部の直径以上に離間させられる弾性を有するカバーとが備えられ、
該カバーが前記ストッパの筒状部を外嵌していることを特徴とするショッピングカート。
【請求項２】
前記カバーは、ロックウェル硬さがスケールＲで８０〜１２０、スケールＭで６８〜１２０であることを特徴とする請求項１に記載のショッピングカート。
【発明の詳細な説明】
【技術分野】
【０００１】
本発明は、スーパーマーケットなどで使用されるショッピングカートに関し、特に、バスケット搭載部にネスティングのためのストッパを備えているショッピングカートに関する。
【背景技術】
【０００２】
スーパーマーケットなどで使用されているショッピングカートは、例えば図５に示すように、台車本体１０やバスケット搭載部２０などを備えている。台車本体１０は、ほぼコ字形の台座１１と一対の支柱１２，１２とほぼコ字形のハンドル１３とを一体的に組み立てた構成とされている。一対の支柱１２，１２間には、支軸（図示せず）が架け渡されている。
【０００３】
そして、バスケット搭載部２０は、基部が前記支柱１２，１２に固定され、底面部２１と一対の側面部２２，２２と正面部２３とが籠状に形成されたものであり、背面側にストッパ２４が取り付けられている。ストッパ２４は、平板状の本体部２５の上縁に前記支軸が挿通する筒状部２６を設けたものであり、ネスティングすることができるようにされている。なお、ネスティングに際して耳障りな金属音が発生しないように、また、塗装が剥離しないように、ストッパ２４を含めたバスケット搭載部２０を樹脂で成形したショッピングカートが特許文献１に開示されている。
【０００４】
【特許文献１】特開２００６−２４８２６９号公報
【発明の開示】
【発明が解決しようとする課題】
【０００５】
ショッピングカートは、屋内（店内）、屋外に置かれる場合がある。
【０００６】
そこで、本発明は、屋外のショッピングカート収納において屋外暴露に耐える長寿命化を図るようにしたショッピングカートを提供することを課題とする。
【課題を解決するための手段】
【０００７】
本発明に係るショッピングカートは、一対の支柱間に配置される平板状の本体部の上縁に、一対の支柱に架け渡された支軸が挿通する筒状部を設けたストッパと、長さが前記ストッパの筒状部の長さとほぼ同じとされ、縦断面がＣ字形をなした樋形状に形成され、対峙している両側縁の間隔が前記筒状部の直径よりも狭く、かつ、筒状部の直径以上に離間させられる弾性を有するカバーとが備えられ、該カバーが前記ストッパの筒状部を外嵌していることを特徴としている。
【０００８】
このショッピングカートによれば、ストッパの筒状部は、カバーに外嵌されることによって保護される。したがって、カバーは、ストッパを組み付けるときに筒状部に外嵌してもよいし、既に組み付けられたストッパの筒状部に外嵌してもよい。
【０００９】
また、カバーは、縦断面がＣ字形をなした樋形状に形成され、ストッパの筒状部の外径よりも狭い間隔で離間している両側縁をストッパの筒状部の外径以上に離間させられる弾性を有していることから、この両側縁をストッパの筒状部の直径以上に離間したうえで、本体部との境界に位置するようにして、別途、道具を使用することなく外嵌することができる。そして、カバーは、縦断面がＣ字形をなし、両側縁の間隔がストッパの筒状部の外径よりも狭くされていることから、ストッパの筒状部から外れることがない。
【００１０】
また、前記本発明に係るショッピングカートにおいて、前記カバーは、ロックウェル硬さがスケールＲで８０〜１２０、スケールＭで６８〜１２０であることが好ましい。このショッピングカートによれば、カバーのロックウェル硬さがスケールＲで８０〜１２０、スケールＭで６８〜１２０とすることにより、カバーは最適の弾性を有するようにすることができる。
【発明の効果】
【００１１】
本発明によれば、ストッパの筒状部がカバーによって外嵌されることにより、屋外暴露にも耐える長寿命化を図ることができる。また、カバーは、縦断面がＣ字形をなした樋形状とされ、対峙している両側縁を離間させられる弾性を有していることから、カバーをストッパの筒状部に効率的に外嵌することができる。
【発明を実施するための最良の形態】
【００１２】
本発明に係るショッピングカートの一実施形態について、図１ないし図４を参照しながら説明する。なお、従来と同一部分は、同一符号を付して説明する。
【００１３】
このショッピングカートは、図３に示すようにバスケット搭載部２０を構成しているストッパ２４の筒状部２６にカバー３０を外嵌したことを特徴としている。カバー３０は、図１に示すようにストッパ２４の筒状部２６とほぼ同じ長さ、かつ、筒状部２６の曲率と同じ曲率で縦断面がＣ字形をなした樋形状に形成されている。対峙している両側縁３１，３１の間隔は、ストッパ２４の筒状部２６の直径よりも狭く、かつ、両側縁３１，３１をストッパ２４の筒状部２６の直径以上に離間させられる弾性を有している。
【００１４】
したがって、このカバー３０は、ポリプロピレンなどの樹脂によって成形され、ロックウェル硬さがスケールＲで８０〜１２０、スケールＭで６８〜１２０であることが好ましい。
【００１５】
また、カバー３０の周方向の中間部には、図２にも示すように内面に溝３２、外面に突条３３がそれぞれ形成され、カバー３０の両側縁３１，３１が離間しやすくされているとともに、離間した両側縁３１，３１が元の近接した状態に復帰するようなバネ性を有するようにされている。なお、溝３２及び突条３３から一方の側縁３１までの幅と他方の側縁３１までの幅とは同じとすることが好ましい。
【００１６】
一方、ストッパ２４は、本体部２５と筒状部２６とを一体化したものであるが、上面付近から下面まで全長に亘って切れ目２６ａが入れられている。したがって、筒状部２６は、図２の実線及び仮想線に示すように、切れ目２６ａが接離して、蝶番のように開閉し、一対の支柱１２，１２に架け渡された支軸１４を挟むことができるようにされている。このような筒状部２６の上面には、蝶番のように開閉しても切断されないようにするための突条２６ｂが全長に亘って形成されている。
【００１７】
そして、ストッパ２４の筒状部２６の両端には、図１に示すように、鍔部２６ｃ，２６ｃが形成されている。各鍔部２６ｃは、筒状部２６が開いた状態とすることができるように、上側には形成されていない。
【００１８】
また、ストッパ２４は、この切れ目２６ａの一方側に本体部２５を一体化したものとされている。この本体部２５には、図１に示すように、筒状部２６に隣接している複数（図面では３箇所であるが、これに限定するものでない。）の部位に小孔２５ａが形成されている。
【００１９】
また、筒状部２６には、図２に示すように、前記小孔２５ａと対峙する突片２７が切れ目２６ａの他方側に突設されている。突片２７は、小孔２５ａと対峙する部分にのみ複数箇所に突設してもよいし、ストッパ２４の筒状部２６の全長に亘って突設してもよい。そして、前記小孔２５ａから突片２７に締結具２８が締結されることにより、ストッパ２４が支軸１４から外れないように取り付けられる。
【００２０】
なお、締結具２８は、タッピングネジを使用することにより、突片２７に雌ネジを形成しなくてもよく、また、ナットを備えなくてもよいようにすることができる。ただし、締結具２８は、ビスとナットによって構成してもよい。
【００２１】
そして、図３及び図４に示すように、支軸１４に取り付けられたストッパ２４の筒状部２６にカバー３０が外嵌される。カバー３０は、両側縁３１，３１の間隔が筒状部２６の直径よりも狭くされているが、ストッパ２４の筒状部２６の直径以上に離間する弾性を有していることから、カバー３０の両側縁３１，３１を筒状部２６に押し当てることにより、外嵌することができる。ストッパ２４の筒状部２６を外嵌したカバー３０は、両側縁３１，３１の間隔が筒状部２６の直径よりも狭くされていることから、筒状部２６から外れることがない。また、ストッパ２４は筒状部２６の曲率とほぼ同じ曲率とされていることから、ストッパ２４は筒状部２６にほぼ密着した状態とされる。
【００２２】
このようにして、カバー３０は、別途、道具を使用することなく、容易にストッパ２４の筒状部２６に外嵌することができる。そして、ストッパ２４の筒状部２６の両端に鍔部２６ｃ，２６ｃが形成されていることから、カバー３０は、ストッパ２４の筒状部２６上を位置ずれすることがない。
【００２３】
なお、本発明は、前記の実施形態に限定することなく、特許請求の範囲に記載した技術的事項の範囲内において種々変更することができる。例えば、易剥離性の接着剤をカバー３０とストッパ２４の筒状部２６との間に介在させることにより、筒状部２６の両端に鍔部２６ｃを設けないものとすることができる。したがって、本発明のカバー３０は、既に使用されているストッパ２４の筒状部２６に外嵌することもできる。
【００２４】
また、ストッパ２４の筒状部２６は、切れ目２６ａを形成しないものとし、支軸１４を挿通した状態で、この支軸１４を一対の支柱１２，１２に架け渡すようにしてもよい。さらに、ストッパ２４は、ネスティングしない固定された筒状部２６にも外嵌することができる。
【図面の簡単な説明】
【００２５】
【図１】本発明に係るショッピングカートの一実施形態であって、要部を分解した状態の斜視図である。
【図２】本発明に係るショッピングカートの一実施形態であって、要部を分解した状態の側面図である。
【図３】本発明に係るショッピングカートの一実施形態であって、要部を組み立てた状態の斜視図である。
【図４】本発明に係るショッピングカートの一実施形態であって、要部を組み立てた状態の側面図である。
【図５】従来のショッピングカートであって、（ａ）は片側半分を破断した平面図、（ｂ）は側面図、（ｃ）は背面図である。
【符号の説明】
【００２６】
１２……支柱
１４……支軸
２４……ストッパ
２５……本体部
２５ａ…小孔
２６……筒状部
２６ａ…切れ目
２７……突片
２８……締結具
３０……カバー
３１……側縁
３２……溝
３３……突条
【図１】
2009143261.tif 000003
【図２】
2009143261.tif 000004
【図３】
2009143261.tif 000005
【図４】
2009143261.tif 000006
【図５】
2009143261.tif 000007